(57)【要約】【課題】ＬＡＮを構成する情報機器の電源制御を簡易なものとし、且つこれらの情報機器の操作性を向上させることができるアクセスポイントを提供する。【解決手段】アクセスポイント１０は、アクセスポイント１０の動作を統括的に制御するシステム制御部１１と、無線情報機器と無線ＬＡＮ接続を行う無線ＬＡＮ通信Ｉ／Ｆ１８と、基幹ＬＡＮ５０及びホストＰＣ６０と有線ＬＡＮ接続を行う有線ＬＡＮ通信Ｉ／Ｆ２２と、有線情報機器及び無線情報機器のアドレスを設定アドレスとして記憶するアドレス記憶部２１と、アクセスポイント１０を起動させる電源部１５と、電源制御スイッチ３０と、表示ランプ４０とを備える。システム制御部１１は、電源制御スイッチ３０の操作を検出すると、無線ＬＡＮ通信Ｉ／Ｆ１８、アドレス記憶部２１、及び有線ＬＡＮ通信Ｉ／Ｆ２２等のアクセスポイント１０の各構成要素に電源を供給し、その後アドレス記憶部２１の設定アドレスに起動コマンドを送出してＬＡＮ接続の動作を開始する。【選択図】      図１
2004266532.tif 000002
【特許請求の範囲】
【請求項１】
他のＬＡＮ及び複数の情報機器と接続するアクセスポイントにおいて、
スイッチの操作を検出するスイッチ検出手段と、
前記スイッチの操作を検出したときに前記アクセスポイントの各構成要素の電源制御を行う電源制御手段と、
当該電源制御手段により前記アクセスポイントの各構成要素の電源制御を行う際に、前記複数の情報機器の内の特定の情報機器を起動、もしくは、停止させるコマンドを当該特定の情報機器に対し送出するコマンド送出手段とを備えることを特徴とするアクセスポイント。
【発明の詳細な説明】
【０００１】
【発明の属する技術分野】
本発明は、アクセスポイントに関し、特に、ＬＡＮを構成する情報機器の電源制御を行うアクセスポイントに関する。
【０００２】
【従来の技術】
従来、ローカルエリアネットワーク（以下「ＬＡＮ」という。）を構成する情報機器の電源制御は個別に制御される。
【０００３】
例えば、アクセスポイントと複数のパーソナルコンピュータ（以下「ＰＣ」という。）で構成されたＬＡＮでは、アクセスポイントと複数のＰＣの夫々が電源スイッチを有し、そのスイッチの操作により電源のＯＮ／ＯＦＦが行われていた。
【０００４】
また、ＬＡＮを構成するＰＣではメンテナンス等の為、サーバからクライアントのＰＣの電源制御をＬＡＮを介して遠隔操作を行うものや、商用ＡＣ電源の停電を検出したときにサーバに電源を供給する無停電電源（以下「ＵＰＳ」という。）が設置されており、ＵＰＳが停電を検出すると、その旨の制御コマンドをＬＡＮを介してサーバに送信し、サーバの電源をＯＦＦにした後にＵＰＳの電源をＯＦＦにするものがあった。
【０００５】
【発明が解決しようとする課題】
しかしながら、ＬＡＮを構成する複数の情報機器の電源操作を個別に行うのは煩雑であり、特に必要に応じて随時構成する小規模ＬＡＮでは電源制御を頻繁に行う為、その煩雑さは顕著であるという問題がある。例えば会議でアクセスポイントを介してＬＡＮにより情報交換や大画面ディスプレイに接続したホストＰＣを用いたプレゼンテーション等を行う会議毎に構成する小規模ＬＡＮでは電源制御の頻度が高く、情報機器夫々の電源を個別に操作する煩雑な作業と成っていた。
【０００６】
本発明は、ＬＡＮを構成する情報機器の電源制御を簡易なものとし、且つこれらの情報機器の操作性を向上させることができるアクセスポイントを提供することにある。
【０００７】
【課題を解決するための手段】
上記目的を達成するために、請求項１記載のアクセスポイントは、他のＬＡＮ及び複数の情報機器と接続するアクセスポイントにおいて、スイッチの操作を検出するスイッチ検出手段と、前記スイッチの操作を検出したときに、前記アクセスポイントの各構成要素の電源制御を行う電源制御手段と、当該電源制御手段により前記アクセスポイントの各構成要素の電源制御を行う際に、前記複数の情報機器の内の特定の情報機器を起動、もしくは、停止させるコマンドを当該特定の情報機器に対し送出するコマンド送出手段とを備えることを特徴とする。
【０００８】
【発明の実施の形態】
以下、本発明の実施の形態に係るアクセスポイントを図面を用いて詳説する。
【０００９】
図１は、本発明の実施の形態に係るアクセスポイントのブロック図である。
【００１０】
図１において、本発明の実施の形態に係るアクセスポイント１０は、演算処理装置（以下「ＣＰＵ」という。）、演算動作プログラムを記憶するＲＯＭ、及びワークメモリとして使用するＲＡＭ等で構成され、アクセスポイント１０の動作を統括的に制御するシステム制御部１１と、アンテナ１９を介して無線情報機器（複数の情報機器）と無線ＬＡＮ接続を行う無線ＬＡＮ通信Ｉ／Ｆ１８と、ＬＡＮケーブル２４を介してホストＰＣ６０（複数の情報機器）に接続する有線ＬＡＮポート２３と、ＬＡＮケーブル２６を介して基幹ＬＡＮ５０（他のＬＡＮ）に接続する有線ＬＡＮポート２５と、有線ＬＡＮポート２３，２５を介して基幹ＬＡＮ５０及びホストＰＣ６０と有線ＬＡＮ接続を行う有線ＬＡＮ通信Ｉ／Ｆ２２と、不揮発性メモリ等で構成され、有線情報機器及び無線情報機器のアドレスを設定アドレスとして記憶するアドレス記憶部２１と、アクセスポイント１０に電源を供給する電源部１５と、電源制御スイッチ３０と、表示ランプ４０とを備える。
【００１１】
システム制御部１１、無線ＬＡＮ通信Ｉ／Ｆ１８（コマンド送出手段）、アドレス記憶部２１、及び有線ＬＡＮ通信Ｉ／Ｆ２２（コマンド送出手段）は、バス２０により相互に接続され、情報や制御コマンドの通信を行う。
【００１２】
電源部１５（電源供給手段）は、外部の商用ＡＣ電源（不図示）と接続され電源線１６を介してシステム制御部１１に電源を供給し、また、電源線１７を介して無線ＬＡＮ通信Ｉ／Ｆ１８、アドレス記憶部２１、及び有線ＬＡＮ通信Ｉ／Ｆ２２等のアクセスポイント１０の各構成要素に電源を供給する。電源部１５からシステム制御部１１への電源供給は常時行われ、電源部１５から上記アクセスポイント１０の各構成要素への電源の供給は、信号線１４を介してシステム制御部１１からの電源供給制御信号を受信すると、そのＯＮ／ＯＦＦが制御される。
【００１３】
電源制御スイッチ３０は、信号線１２を介してシステム制御部１１と接続し、ユーザによる電源スイッチ３０の操作を検出すると検出信号を信号線１２を介してシステム制御部１１に送信する。システム制御部１１（スイッチ検出手段）は、この検出信号を受信すると、電源スイッチ３０の操作があったことを検出する。
【００１４】
表示ランプ４０は、信号線１３を介してシステム制御部１１と接続し、信号線１３を介してシステム制御部１１からの表示制御信号を受信すると、その表示制御信号に従ってアクセスポイント１０の動作状況やエラー表示などを行う。
【００１５】
以下、本発明の第１の実施の形態に係るアクセスポイント１０の動作を説明する。
【００１６】
図２は、図１のアクセスポイント１０のＬＡＮ接続開始処理を示すフローチャートである。
【００１７】
図２において、まず、電源部１５が商用ＡＣ電源に接続されると、アクセスポイント１０が起動し（ステップＳ１００）、電源部１５から電源線１６を介してシステム制御部１１への電源が供給され（ステップＳ１０１）、システム制御部１１が動作開始する（ステップＳ１０２）。
【００１８】
その後、システム制御部１１は、電源制御スイッチ３０の操作を検出すると（ステップＳ１０３でＹＥＳ）、信号線１４を介して電源部１５に電源供給制御信号を送信し、電源部１５から無線ＬＡＮ通信Ｉ／Ｆ１８、アドレス記憶部２１、及び有線ＬＡＮ通信Ｉ／Ｆ２２等のアクセスポイント１０の各構成要素に電源を供給して、バス２０を介して上記アクセスポイント１０の各構成要素のイニシャライズ動作を行った後（ステップＳ１０４）、信号線１３を介して表示制御信号を表示ランプ４０に送信し、表示ランプ４０の点灯を行う（ステップＳ１０５）。これにより、アクセスポイント１０の各構成要素への電源供給を開始したことをユーザに通知することができる。
【００１９】
次に、システム制御部１１は、アドレス記憶部２１にアドレス設定が有るか否かを判別する（ステップＳ１０６）。この判別処理は、具体的には、アドレス記憶部２１に未記憶（アドレス設定が未だなされていない旨）を示すデータが書き込まれているときにアドレス設定がないと判別する。また、アドレス記憶部２１の特定の場所をアドレス設定の状態を示すフラグとして使用し、このフラグのＯＮ／ＯＦＦによってアドレス設定が有るか否かを判別してもよい。
【００２０】
ステップＳ１０６の判別の結果、アドレス設定が有るときは、アドレス記憶部２１の設定アドレス（例えば、ホストＰＣ６０のアドレス）に対して起動コマンドを送出して、アドレス設定がされていた情報機器に起動動作を開始させ（ステップＳ１０７）、ステップＳ１１１に進む。
【００２１】
ステップＳ１０６〜Ｓ１０７の処理によれば、電源操作対象の情報機器のアドレスを予め設定アドレスとしてアドレス記憶部２１に記憶させておくことで、ＬＡＮを構成する情報機器のうち電源操作対象となるものの起動とアクセスポイント１０の電源制御とを確実に同期させることができる。
【００２２】
一方、ステップＳ１０６の判別の結果、アドレス設定がないときは、信号線１３を介して表示制御信号を表示ランプ４０に送信し、表示ランプ４０の点滅を行う（ステップＳ１０８）。これにより、電源操作対象の情報機器は存在せず、ＬＡＮ接続を行う前にＬＡＮを構成する予定の情報機器の起動を個別に行わなくてはならないことをユーザに通知することができる。
【００２３】
その後、電源制御スイッチ３０の操作が再検出されると（ステップＳ１０９でＹＥＳ）、信号線１３を介して表示制御信号を表示ランプ４０に送信し、表示ランプ４０の点灯を行い（ステップＳ１１０）、ステップＳ１１１に進む。これにより、ＬＡＮ接続の動作を開始したことをユーザに通知することができる。
【００２４】
続くステップＳ１１１では、無線ＬＡＮ通信Ｉ／Ｆ１８と有線通信Ｉ／Ｆ２２とを中継するＬＡＮ接続の動作を開始し、本処理を終了する。
【００２５】
図２のＬＡＮ接続開始処理によれば、システム制御部１１は、電源制御スイッチ３０の操作を検出すると（ステップＳ１０３でＹＥＳ）、アクセスポイント１０の各構成要素に電源を供給し（ステップＳ１０４）、その後設定アドレスに起動コマンドを送出して（ステップＳ１０７）、ＬＡＮ接続の動作を開始するので（ステップＳ１１１）、ＬＡＮを構成する情報機器の電源制御を簡易なものとすることができ、且つこれらの情報機器の操作性を向上させることができる。
【００２６】
即ち、例えば、情報交換やプレゼンテーションなどの会議毎に大画面ディスプレイに繋がれたホストＰＣ６０を中心とした小規模ＬＡＮを構成する場合、予めアドレス記憶部２１に電源操作対象となるホストＰＣ６０のアドレスを設定しておくことで、アクセスポイント１０の電源制御に同期してアドレス設定がされていたホストＰＣ６０を起動でき、小規模ＬＡＮを構成する情報機器の電源制御が簡易となり、且つ操作性も向上する。
【００２７】
図３は、図２におけるステップＳ１１１で開始したアクセスポイント１０のＬＡＮ接続停止処理のフローチャートである。
【００２８】
図３において、まず、図２のステップＳ１１１で開始されたＬＡＮ接続の動作中に（ステップＳ１１２）、電源制御スイッチ３０の操作が検出されると（ステップＳ２０１でＹＥＳ）、システム制御部１１は、アドレス記憶部２１にアドレス設定が有るか否かを判別し（ステップＳ２０２）、アドレス設定が有るときは、アドレス記憶部２１の設定アドレスに対して停止コマンドを送出して、アドレス設定がされていた情報機器に動作停止処理を開始させ（ステップＳ２０３）、ステップＳ２０４に進む。
【００２９】
一方、ステップＳ２０２の判別の結果、アドレス設定がないときは、信号線１３を介して表示制御信号を表示ランプ４０に送信し、表示ランプ４０の点滅を行う（ステップＳ２０６）。これにより、電源操作対象の情報機器は存在せず、ＬＡＮを構成していた情報機器の動作の停止を個別に行わなくてはならないことをユーザに通知することができる。
【００３０】
その後、電源制御スイッチ３０の操作が再検出されると（ステップＳ２０７でＹＥＳ）、ステップＳ２０４へ進む。
【００３１】
続くステップＳ２０４では、システム制御部１１は、信号線１４を介して電源部１５に電源供給制御信号を送信して、電源部１５から無線ＬＡＮ通信Ｉ／Ｆ１８、アドレス記憶部２１、及び有線ＬＡＮ通信Ｉ／Ｆ２２等のアクセスポイント１０の各構成要素への電源の供給を停止し（ステップＳ２０４）、このとき同時に、信号線１３を介して表示制御信号を表示ランプ４０に送信して、表示ランプ４０の消灯を行い（ステップＳ２０５）、本処理を終了する。これにより、アクセスポイント１０を構成する構成要素への電源供給を停止したことをユーザに通知することができる。
【００３２】
図３のＬＡＮ接続停止処理の後は図２のステップＳ１０３以降の処理に移行して、電源スイッチ３０の操作を検出すると、再びＬＡＮ接続処理を実行する。
【００３３】
図３のＬＡＮ接続停止処理によれば、システム制御部１１は、ＬＡＮ接続の動作中に、電源制御スイッチ３０の操作を検出すると（ステップＳ２０１でＹＥＳ）、設定アドレスに停止コマンドを送出し（ステップＳ２０３）、その後、無線ＬＡＮ通信Ｉ／Ｆ１８等への電源供給を（停止）するので（ステップＳ２０４）、ＬＡＮを構成する情報機器の電源制御を簡易なものとし、且つこれらの情報機器の操作性を向上させることができる。
【００３４】
次に、本発明の第２の実施の形態に係るアクセスポイント１０の動作を説明する。
【００３５】
図４は、図１におけるアクセスポイント１０のＬＡＮ接続開始処理を示すフローチャートである。
【００３６】
図４において、先ず図２のステップＳ１００〜Ｓ１０４までの処理を実行して、バス２０を介して無線ＬＡＮ通信Ｉ／Ｆ１８、アドレス記憶部２１、及び有線ＬＡＮ通信Ｉ／Ｆ２２等のアクセスポイント１０の各構成要素のイニシャライズ動作を行った後、信号線１３を介して表示制御信号を表示ランプ４０に送信し、表示ランプ４０の遅い点滅表示（例えば１秒周期の点滅）を行う（ステップＳ３０１）。これにより、ＬＡＮ接続処理を開始したことをユーザに通知することができる。
【００３７】
次に、図２のステップＳ１０６と同様に、システム制御部１１は、アドレス記憶部２１にアドレス設定が有るか否かを判別し（ステップＳ３０２）、アドレス設定が有るときは、アドレス記憶部２１の設定アドレスに対して起動コマンドを送出して、アドレス設定がされていた情報機器に起動動作を開始させる（ステップＳ３０３）。次に、設定アドレスに対して確認コマンドを送出し（ステップＳ３０４ａ）、アドレス設定がされていた情報機器からの確認応答が有ったか否かを判別する（ステップＳ３０４ｂ）。ここで、確認コマンドは、例えば、ＰＩＮＧ（Ｐａｃｋｅｔ  Ｉｎｔｅｒｎｅｔ  Ｇｒｏｐｅｒ）等を用いることができる。また、アドレス形式が異なる場合はアドレス記憶部２１に設定アドレスがある情報機器を示す複数のアドレス形式（例えばＭＣＡＣアドレス、ＩＰアドレス）を記憶し送出コマンドプロトコルに合ったアドレス形式を用いればよい。
【００３８】
ステップＳ３０４ｂの判別の結果、最初は確認応答がないので（ステップＳ３０４ｂでＮＯ）、タイムアウト時間（例えば３分）内は（ステップＳ３０６でＮＯ）、確認応答があるまで（ステップＳ３０４ｂでＮＯ）、確認コマンドの送出を間欠的に（例えば１０秒毎）行い（ステップＳ３０４ａ）、タイムアウト時間までに（ステップＳ３０６でＹＥＳ）、確認応答があったときは（ステップＳ３０４ｂでＹＥＳ）、直ちにステップＳ３０５に進むと共に、確認応答がないまま（ステップＳ３０４ｂでＮＯ）、タイムアウト時間が過ぎたときは（ステップＳ３０６でＹＥＳ）、信号線１３を介して表示制御信号を表示ランプ４０に送信し、表示ランプ４０の早い点滅（例えば０．３秒周期）を行った後（ステップＳ３０７）、電源制御スイッチ３０の操作が再検出されると（ステップＳ３０８でＹＥＳ）、ステップＳ３０５に進む。
【００３９】
ステップＳ３０２の判別の結果、アドレス設定がないときは、信号線１３を介して表示制御信号を表示ランプ４０に送信し、表示ランプ４０の早い点滅（例えば０．３秒周期）を行い、電源操作対象の情報機器は存在せず、ＬＡＮ接続を行う前にＬＡＮを構成する予定の情報機器の起動を個別に行わなくてはならないことをユーザに通知した後（ステップＳ３０７）、電源制御スイッチ３０の操作が再検出されると（ステップＳ３０８でＹＥＳ）、ステップＳ３０５に進む。
【００４０】
続く、ステップＳ３０５において、システム制御部１１は、信号線１３を介して表示制御信号を表示ランプ４０に送信し、表示ランプ４０の点灯を行って、アクセスポイント１０の電源制御と同期して、予め電源操作対象としてアドレス設定がされていた情報機器が起動したことをユーザに通知する（ステップＳ３０５）。その後、無線ＬＡＮ通信Ｉ／Ｆ１８と有線通信Ｉ／Ｆ２２とを中継するＬＡＮ接続の動作を開始して（ステップＳ３１０）、本処理を終了する。
【００４１】
図４のＬＡＮ接続開始処理によれば、システム制御部１１は、設定アドレスに起動コマンドを送出した後（ステップＳ３０３）、更に設定アドレスに対して確認コマンドを送出したとき（ステップＳ３０４ａ）、アドレス設定がされていた情報機器（例えば、ホストＰＣ６０）からの確認応答がなかった場合（ステップＳ３０６でＹＥＳ）、表示ランプ４０に早い点滅をさせるので（ステップＳ３０７）、電源操作対象の情報機器のうち、アクセスポイント１０の電源制御と同期して起動したことを確認できなかったものがあり、ＬＡＮ接続を行う前にこれらの情報機器の起動を個別に行わなくてはならないことをユーザに通知することができる。
【００４２】
図５は、図４におけるステップＳ３１０で開始したアクセスポイント１０のＬＡＮ接続停止処理のフローチャートである。
【００４３】
図５において、まず、図４のステップＳ３１０で開始されたＬＡＮ接続の動作中に（ステップＳ３１１）、図３のステップＳ２０１の処理を実行して、電源スイッチ３０の操作を検出すると、信号線１３を介して表示制御信号を表示ランプ４０に送信し、表示ランプ４０の遅い点滅を行う（ステップＳ４０１）。これにより、ＬＡＮ接続停止処理を開始したことをユーザに通知することができる。
【００４４】
システム制御部１１は、アドレス記憶部２１にアドレス設定が有るか否かを判別し（ステップＳ４０２）、アドレス設定が有るとき、アドレス記憶部２１の設定アドレスに対して停止コマンドを送出する（ステップＳ４０３）。アドレス設定がされていた情報機器は、この停止コマンドが送出されると動作停止処理を開始する。
【００４５】
次に、システム制御部１１は、停止コマンドを送出してから、アドレス設定がされていた情報機器に確認コマンドを送出し（ステップＳ４０４ａ）、その後一定時間（例えば５秒）アドレス設定がされていた情報機器からの確認応答が有ったか否かを判別する（ステップＳ４０４ｂ）。
【００４６】
ステップＳ４０４ｂの判別の結果、最初は確認応答がないので（ステップＳ４０４ｂでＮＯ）、タイムアウト時間（例えば３分）内は（ステップＳ４０７でＮＯ）、確認コマンド送出から５秒以内の確認応答があるまで（ステップＳ４０４ｂでＮＯ）、確認コマンドの送出を間欠的に（例えば１５秒毎）行い（ステップＳ４０４ａ）、タイムアウト時間までに（ステップＳ４０７でＹＥＳ）、確認コマンド送出から５秒以内に確認応答があったときは（ステップＳ４０４ｂでＹＥＳ）、直ちにステップＳ３０５に進むと共に、確認応答がないまま（ステップＳ４０４ｂでＮＯ）、タイムアウト時間が過ぎたときは（ステップＳ４０７でＹＥＳ）、信号線１３を介して表示制御信号を表示ランプ４０に送信し、表示ランプ４０の早い点滅（例えば０．３秒周期）を行った後（ステップＳ４０８）、電源制御スイッチ３０の操作が再検出されると（ステップＳ４０９でＹＥＳ）、ステップＳ４０５に進む。
【００４７】
一方、ステップＳ４０２の判別の結果、アドレス設定がないとき、信号線１３を介して表示制御信号を表示ランプ４０に送信し、表示ランプ４０の点滅を行って、電源操作対象の情報機器は存在せず、ＬＡＮを構成していた情報機器の動作の停止を個別に行わなくてはならないことをユーザに通知した後（ステップＳ４０８）、電源制御スイッチ３０の操作が再検出されると（ステップＳ４０９でＹＥＳ）、ステップＳ４０５に進む。
【００４８】
続く、ステップＳ４０５において、無線ＬＡＮ通信Ｉ／Ｆ１８、アドレス記憶部２１、及び有線ＬＡＮ通信Ｉ／Ｆ２２等のアクセスポイント１０の各構成要素への電源供給をＯＦＦにする。このとき同時に、信号線１３を介して表示制御信号を表示ランプ４０に送信し、表示ランプ４０の消灯を行い（ステップＳ４０６）、図４のステップＳ１０３からの処理を実行する。これにより、アクセスポイント１０を構成する構成要素への電源供給を停止したことをユーザに通知することができる。
【００４９】
図５のＬＡＮ接続停止処理によれば、システム制御部１１は、設定アドレスに停止コマンドを送出した後（ステップＳ４０３）、更に設定アドレスに対して確認コマンドを送出したとき（ステップＳ４０４ａ）、アドレス設定がされていた情報機器（例えば、ホストＰＣ６０）からの確認応答がなかった場合（ステップＳ４０７でＹＥＳ）、表示ランプ４０に早い点滅をさせるので（ステップＳ４０８）、電源操作対象の情報機器のうち、アクセスポイント１０の電源制御と同期して動作を停止したことを確認できなかったものがあり、これらの情報機器の動作を個別に停止しなくてはならないことをユーザに通知することができる。
【００５０】
また、本実施の形態では、停止コマンドによる動作停止処理の確認を、確認コマンド送出後５秒以内にアドレス設定がされていた情報機器から確認応答が有ったか否かを判別することにより行っているが、停止コマンドを受け付けたことを対象の情報機器から受け取ることにより行ってもよい。
【００５１】
また、アドレス記憶部２１にアドレスを設定する方法は、ホストＰＣ６０からアクセスポイント１０に、ホストＰＣ６０のアドレスを送信することにより設定してもよいし、システム制御部１１に入力手段を設けてアドレス記憶部２１に書き込んでもよい。
【００５２】
さらに、詳細は述べていないが、図２のステップＳ１０７及び図４のステップＳ３０３で送出される起動コマンドはＷａｋｅ  ｏｎ  ＬＡＮ等で使用されているコマンドを用い、図３のステップＳ２０３及び図５のステップＳ４０３で送出される停止コマンドは予めプロトコルをアドレス設定されている情報機器側のソフトと取り決めておき、対応する情報機器が常駐ソフト等で停止コマンドを監視することで容易に実現できる。
【００５３】
上述した第１の実施の形態及び第２の実施の形態では、電源線１６は商用ＡＣ電源が供給されているときはシステム制御部１１に常時電源が供給されているように説明してきたが、必ずしも電源線１６に常時出力しシステム制御部１１を動作させている必要は無く、例えば電源制御スイッチ３０を微分回路等で構成する瞬時通電スイッチと通電動作を保持するラッチ回路で構成することにより、システム制御部１１への電源の供給はそのＯＮ／ＯＦＦが制御されるようにしてもよい。
【００５４】
具体的には、上記瞬時通電スイッチの操作による一時的な起動電力の発生によって、システム制御部１１への電源の供給はＯＮとなり、その後、システム制御部１１が上記ラッチ回路の動作により、この電源供給を保持する。一方、上記ラッチ回路を開放することによって、システム制御部１１への電源供給はＯＦＦとなる。
【００５５】
これにより、第１及び第２の実施の形態における操作性とほぼ同等の操作性を維持しつつ、アクセスポイント１０を使用しないときの電力消費を無くすことができる。
【００５６】
さらに、会議システムとしてホストＰＣ６０とアクセスポイント１０を同一の筐体に収めた場合、筐体表面にアクセスポイント１０の電源制御スイッチ３０のみを設ければよく、デザイン上、製造上のメリットを向上させることができる。
【００５７】
本発明は、上述した実施の形態の機能を実現するソフトウェアのプログラム（図２〜図５のフローチャート）をシステム制御部１１内部のＣＰＵに供給し、ＣＰＵが該供給されたプログラムを読出して実行することによって、達成することができる。
【００５８】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【００５９】
上記プログラムの形態は、オブジェクトコード、インタプリタにより実行されるプログラムコード、ＯＳ（オペレーティングシステム）に供給されるスクリプトデータ等の形態から成ってもよい。
【００６０】
また、本発明は、上述した実施の形態の機能を実現するソフトウェアのプログラムを記憶した記憶媒体をＣＰＵに供給し、そのＣＰＵがシステム制御部１１内部のＲＯＭに記憶されたプログラムを読出して実行することによっても、達成することができる。
【００６１】
この場合、格納媒体から読出されたプログラムコード自体が上述した各実施の形態の機能を実現すると共に、そのプログラムコードを記憶したＲＯＭは本発明を構成する。
【００６２】
本実施の形態に係るプログラムコードを記憶する記憶媒体は、ＲＯＭであったが、これに限定されるわけでなく、例えば、ＲＡＭ、ＮＶ−ＲＡＭ、フロッピー（登録商標）ディスク、ハードディスク、光ディスク、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【００６３】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【００６４】
本発明の実施態様の例を以下に列挙する。
【００６５】
〔実施形態１〕  他のＬＡＮ及び複数の情報機器と接続するアクセスポイントにおいて、スイッチの操作を検出するスイッチ検出手段と、前記スイッチの操作を検出したときに前記アクセスポイントの各構成要素の電源制御を行う電源制御手段と、当該電源制御手段により前記アクセスポイントの各構成要素の電源制御を行う際に、前記複数の情報機器の内の特定の情報機器を起動、もしくは、停止させるコマンドを当該特定の情報機器に対し送出するコマンド送出手段とを備えることを特徴とするアクセスポイント。
【００６６】
〔実施態様２〕  他のＬＡＮ及び複数の情報機器と接続するアクセスポイントにおいて、スイッチの操作を検出するスイッチ検出手段と、前記スイッチの操作を検出したときに、前記アクセスポイントの各構成要素に電源を供給する電源供給手段と、当該電源供給手段により前記アクセスポイントの各構成要素に電源が供給されたときに、前記複数の情報機器の内の特定の情報機器を起動させるコマンドを当該特定の情報機器に対し送出する起動コマンド送出手段とを備えることを特徴とするアクセスポイント。
【００６７】
〔実施態様３〕  他のＬＡＮ及び複数の情報機器と接続するアクセスポイントにおいて、前記アクセスポイントは、スイッチの操作を検出するスイッチ検出手段と、前記スイッチの操作を検出したときに、前記複数の情報機器の内の特定の情報機器の動作を停止するコマンドを当該特定の情報機器に対し送出する停止コマンド送出手段（１８，２２）と、前記コマンドの送出後に前記アクセスポイントの各構成要素の電源供給を停止する電源供給停止手段（１５）とを備えることを特徴とするアクセスポイント。
【００６８】
この実施態様により、ＬＡＮを構成する情報機器の電源制御を簡易なものとし、且つこれらの情報機器の操作性を向上させることができる。
【００６９】
〔実施態様４〕  前記アクセスポイントと前記情報機器と同一筐体内に納められ、該筐体の表面に前記スイッチが配されることを特徴とする実施態様１乃至３のいずれか１項に記載のアクセスポイント。
【００７０】
この実施態様により、デザイン上、製造上のメリットを向上させることができる。
【００７１】
〔実施態様５〕  前記情報機器のネットワークアドレスを記憶するネットワークアドレス記憶手段をさらに備え、前記起動コマンド送出手段は、前記ネットワークアドレスに前記コマンドを送出することを特徴とする実施態様１乃至４のいずれか１項に記載のアクセスポイント。
【００７２】
この実施態様により、ＬＡＮを構成する情報機器のうち電源操作対象となるものの起動とアクセスポイントの電源制御とを確実に同期させることができる。
【００７３】
〔実施態様６〕  前記スイッチの操作の検出後に前記ネットワークアドレス記憶手段に全くネットワークアドレスが記憶されていないことが判別されたとき警告を発する警告手段をさらに備えることを特徴とする実施態様５記載のアクセスポイント。
【００７４】
この実施態様により、電源操作対象の情報機器は存在せず、ＬＡＮ接続を行う前にＬＡＮを構成する予定の情報機器の起動を個別に行わなくてはならないことをユーザに通知することができる。
【００７５】
〔実施態様７〕  前記起動コマンド送出手段により前記コマンドを送出した後、前記ネットワークアドレスに確認コマンドを送出する確認コマンド送出手段と、前記確認コマンド送出後、任意の時間以内に応答がない場合、警告を発する他の警告手段とをさらに備えることを特徴とする実施態様５又は６記載のアクセスポイント。
【００７６】
この実施態様により、電源操作対象の情報機器のうち、アクセスポイントの電源制御と同期して起動したことを確認できなかったものがあり、ＬＡＮ接続を行う前にこれらの情報機器の起動を個別に行わなくてはならないことをユーザに通知することができる。
【００７７】
〔実施態様８〕  他のＬＡＮ及び複数の情報機器と接続するアクセスポイントの電源供給制御方法において、スイッチの操作を検出するスイッチ検出ステップと、前記スイッチの操作を検出したときに、前記アクセスポイントの各構成要素の電源制御を行う電源制御ステップと、当該電源制御ステップにより前記アクセスポイントの各構成要素の電源制御を行う際に、前記複数の情報機器の内の特定の情報機器を起動、もしくは、停止させるコマンドを当該特定の情報機器に対し送出するコマンド送出ステップとを備えることを特徴とする電源供給制御方法。
【００７８】
〔実施態様９〕  他のＬＡＮ及び複数の情報機器と接続するアクセスポイントの電源供給制御方法において、スイッチの操作を検出するスイッチ検出ステップ（Ｓ１０３）と、前記スイッチの操作を検出したときに、前記アクセスポイントの各構成要素に電源を供給する電源供給ステップ（Ｓ１０４）と、当該電源供給ステップにより前記アクセスポイントの各構成要素に電源が供給されたときに、前記複数の情報機器の内の特定の情報機器を起動させるコマンドを当該特定の情報機器に対し送出する起動コマンド送出ステップ（Ｓ１０７）とを備えることを特徴とする電源供給制御方法。
【００７９】
この実施態様により、ＬＡＮを構成する情報機器の電源制御を簡易なものとし、且つこれらの情報機器の操作性を向上させることができる。
【００８０】
〔実施態様１０〕  他のＬＡＮ及び複数の情報機器と接続するアクセスポイントの電源供給制御方法において、スイッチの操作を検出するスイッチ検出ステップ（Ｓ２０１）と、前記スイッチの操作を検出したときに、前記複数の情報機器の内の特定の情報機器の動作を停止するコマンドを当該特定の情報機器に対し送出する停止コマンド送出ステップ（Ｓ２０３）と、前記コマンドの送出後に前記アクセスポイントの各構成要素の電源供給を停止する電源供給停止ステップ（Ｓ２０４）とを備えることを特徴とする電源供給制御方法。
【００８１】
この実施態様により、ＬＡＮを構成する情報機器の電源制御を簡易なものとし、且つこれらの情報機器の操作性を向上させることができる。
【００８２】
〔実施態様１１〕  他のＬＡＮ及び複数の情報機器と接続するアクセスポイントの電源供給制御方法をコンピュータに実行させるプログラムにおいて、スイッチの操作を検出するスイッチ検出ステップと、前記スイッチの操作を検出したときに、前記アクセスポイントの各構成要素の電源制御を行う電源制御ステップと、当該電源制御ステップにより前記アクセスポイントの各構成要素の電源制御を行う際に、前記複数の情報機器の内の特定の情報機器を起動、もしくは、停止させるコマンドを当該特定の情報機器に対し送出するコマンド送出ステップとを備えることを特徴とするプログラム。
【００８３】
〔実施態様１２〕  他のＬＡＮ及び複数の情報機器と接続するアクセスポイントの電源供給制御方法をコンピュータに実行させるプログラムにおいて、スイッチの操作を検出するスイッチ検出ステップと、前記スイッチの操作を検出したときに、前記アクセスポイントの各構成要素に電源を供給する電源供給ステップと、当該電源供給ステップにより前記アクセスポイントの各構成要素に電源が供給されたときに、前記複数の情報機器の内の特定の情報機器を起動するコマンドを当該特定の情報機器に対し送出する起動コマンド送出ステップとを備えることを特徴とするプログラム。
【００８４】
この実施態様により、ＬＡＮを構成する情報機器の電源制御を簡易なものとし、且つこれらの情報機器の操作性を向上させることができる。
【００８５】
〔実施態様１３〕  他のＬＡＮ及び複数の情報機器と接続するアクセスポイントの電源供給制御方法をコンピュータに実行させるプログラムにおいて、スイッチの操作を検出するスイッチ検出ステップ（Ｓ２０１）と、前記スイッチの操作を検出したときに、前記複数の情報機器の内の特定の情報機器の動作を停止するコマンドを当該特定の情報機器に対し送出する停止コマンド送出ステップ（Ｓ２０３）と、前記コマンドの送出後に前記アクセスポイントの各構成要素の一部の電源供給を停止する電源供給停止ステップ（Ｓ２０４）とを備えることを特徴とするプログラム。
【００８６】
この実施態様により、ＬＡＮを構成する情報機器の電源制御を簡易なものとし、且つこれらの情報機器の操作性を向上させることができる。
【００８７】
〔実施態様１４〕  実施態様１１乃至１３のいずれか１項に記載のプログラムを格納するコンピュータ読取り可能な記憶媒体。
【００８８】
【発明の効果】
以上詳細に説明したように、スイッチの操作を検出したときに、このアクセスポイントの各構成要素の電源制御を行う際に、アクセスポイントと接続する予め設定した特定の情報機器に起動コマンドや停止コマンドを送出するので、ＬＡＮを構成する情報機器の電源制御を簡易なものとし、且つこれらの情報機器の操作性を向上させることができる。
【図面の簡単な説明】
【図１】本発明の実施の形態に係るアクセスポイントのブロック図である。
【図２】図１のアクセスポイント１０のＬＡＮ接続開始処理を示すフローチャートである。
【図３】図２におけるステップＳ１１１で開始したアクセスポイント１０のＬＡＮ接続停止処理のフローチャートである。
【図４】図１におけるアクセスポイント１０のＬＡＮ接続開始処理を示すフローチャートである。
【図５】図４におけるステップＳ３１０で開始したアクセスポイント１０のＬＡＮ接続停止処理のフローチャートである。
【符号の説明】
１０  アクセスポイント
１１  システム制御部
１５  電源部
１８  無線ＬＡＮ通信Ｉ／Ｆ
２１  アドレス記憶部
２２  有線ＬＡＮ通信Ｉ／Ｆ
５０  基幹ＬＡＮ
６０  ホストＰＣ
【図１】
2004266532.tif 000003
【図２】
2004266532.tif 000004
【図３】
2004266532.tif 000005
【図４】
2004266532.tif 000006
【図５】
2004266532.tif 000007